(57)【要約】【課題】比較的容易に小型化でき且つ安定した光学特性を得ることができる光モジュールを提供する。【解決手段】光ファイバ１１がその長手方向に亘って内部に固着された光接続用フェルール１２と、光素子１４とを具備し、光接続用フェルール１２の一端部側の所定位置に光素子１４を位置決めして光ファイバ１１と光接続するように配置すると共に、光接続用フェルール１２の他端部に光接続用スリーブ１５を介して光ファイバを固着した光ファイバフェルールを接続して光素子１４と光接続するようにした保持部材２２を具備する光モジュール１０において、光接続用フェルール１２の一端部にその他端部より小径となる小径円筒部２５を設け、保持部材２２に小径円筒部２５を嵌合することにより光接続用フェルール１２を保持部材２２に位置決め保持することにより、比較的容易に光モジュール１０を小型化でき且つ光接続時には安定した光学特性を得ることができる。【選択図】　　図１
2004126098.tif 000002
【特許請求の範囲】
【請求項１】
光ファイバがその長手方向に亘って内部に固着された光接続用フェルールと、光素子とを具備し、前記光接続用フェルールの一端部側の所定位置に前記光素子を位置決めして前記光ファイバと光接続するように配置すると共に、前記光接続用フェルールの他端部に光接続用スリーブを介して光ファイバを固着した光ファイバフェルールを接続して前記光素子と光接続するようにした保持部材を具備する光モジュールにおいて、
前記光接続用フェルールの一端部にその他端部より小径となる小径円筒部を設け、前記保持部材に前記小径円筒部を嵌合することにより当該光接続用フェルールを前記保持部材に位置決め保持するようにしたことを特徴とする光モジュール。
【請求項２】
請求項１において、前記小径円筒部の長さは、前記光接続用スリーブに挿入された前記光接続用フェルールの他端部の長さの半分以下であることを特徴とする光モジュール。
【請求項３】
請求項１又は２において、前記光接続用フェルールの前記小径円筒部が、前記保持部材に設けられた貫通孔に圧入または接着または溶接されることにより保持されていることを特徴とする光モジュール。
【請求項４】
請求項１〜３の何れかにおいて、前記光接続用フェルールの前記小径円筒部側のファイバ端面が前記光ファイバの軸に垂直な方向に対して所定角度傾斜した面であり、前記光接続用フェルールの他端部側の端面が凸球面状であることを特徴とする光モジュール。
【請求項５】
請求項１〜４の何れかにおいて、前記保持部材は、前記光ファイバフェルールを保持した光コネクタプラグが外部から接続可能な光コネクタアダプタ形状を有していることを特徴とする光モジュール。
【発明の詳細な説明】
【０００１】
【発明の属する技術分野】
本発明は、光素子に対して光コネクタプラグ等を光接続するのに用いられる光モジュール、特に、レセプタクル型の光モジュールに関する。
【０００２】
【従来の技術】
従来より、例えば、半導体レーザ（ＬＤ）、発光ダイオード（ＬＥＤ）等の発光素子やフォトダイオード（ＰＤ）、アバランシェフォトダイオード（ＡＰＤ）等の受光素子を有する光半導体モジュール（以下、単に光モジュールという）が知られている。このような光モジュールとしては、例えば、光ファイバを備えた光コネクタプラグ等を外部から接続可能な構造を有するレセプタクル型の光モジュールが挙げられる。
【０００３】
ここで、図３を参照して、レセプタクル型の光モジュールについて説明する。なお、図３は、従来の光モジュールの端面の平面図及びＣ−Ｃ′断面図である。
【０００４】
図示するように、光モジュール１００は、光ファイバ１０１を固着した光接続用フェルール１０２と、ＬＤ等の発光素子１０３を実装した光素子実装パッド１０４と、光接続用フェルール１０２の一端部を圧入保持したハウジング１０５と、ハウジング１０５から突出した光接続用フェルール１０２の他端部を挿入した光接続用スリーブ１０６と、光接続用スリーブ１０６を内部に保持したスリーブホルダ１０７とを具備する。
【０００５】
また、光ファイバ１０１と光素子実装パッド１０４との間には、発光素子１０３から放射された光を光ファイバ１０１の端面に集光する球レンズ等の光学レンズ１０８が配設されている。そして、この光学レンズ１０８は、発光素子を気密封止するキャップ１０９に保持されており、このキャップ１０９は光素子実装パッド１０４に固定されている。
【０００６】
さらに、光素子実装パッド１０４には、キャップ１０９を覆うように連結部材１１０が接合されている。このような連結部材１１０は、ハウジング１０５に固定されて、光素子実装パッド１０４とハウジング１０５とを連結している。
【０００７】
なお、このような光素子実装パッド１０４の連結部材１１０に接合された側とは反対側には、外部機器と接続されるリード端子等の配線１１１が突出して設けられている。
【０００８】
このような光モジュール１００では、光接続用スリーブ１０６の一端部側に光接続用フェルール１０２の他端部が保持されており、この光接続用スリーブ１０６の他端部側に外部から光コネクタプラグ等に保持された光ファイバフェルール（図示なし）が挿入される。そして、光コネクタプラグの光ファイバフェルールと、光モジュール１００内の光接続用フェルール１０２とは光接続用スリーブ１０６内で光接続されるようになっている。
【０００９】
このような構成の光モジュール１００では、発光素子１０３から放射した光が光ファイバ１０１の端面に光学レンズ１０８を介して集光され、光接続用スリーブ１０６の一端部側に挿入された光接続用フェルール１０２を介してその他端部側から挿入した光コネクタプラグの光ファイバに出射されるようになっている。
【００１０】
ここで、上述したレセプタクル型の光モジュール１００は、近年、小型化に対する要望が高まってきており、小型化を図るためには、例えば、光接続用フェルール１０４の全長Ｌ、すなわち、ハウジング１０５に保持された一端部の長さＬ１や、光接続用スリーブ１０６に挿入された他端部の長さＬ２を短くすることが考えられる。
【００１１】
しかしながら、光接続用フェルール１０２の一端部の長さＬ１は、その一端部をハウジング１０５に圧入しているため、ハウジング１０５が光接続用フェルール１０２の一端部を保持する力を確保する必要があり短くできない。すなわち、光接続用フェルール１０２の一端部に光接続用スリーブ１０６を介して外部から挿入される光ファイバフェルールの押圧力（荷重）により光接続用フェルール１０２の位置がその軸方向にズレないようにハウジング１０５に保持しておく必要がある。このため、光接続用フェルール１０２の一端部の長さＬ１を短くできない。一方、光接続用フェルール１０２の他端部の長さＬ２は、光接続用スリーブ１０６内で外部からの光コネクタプラグのフェルールとを整列させる必要があり短くできない。
【００１２】
そこで、このような光モジュール１００の小型化に対する問題を解決するものとして、光接続用スリーブの光接続用フェルールが挿入された一端側の外周部に把持リングを装着した光モジュールが提案されている（例えば、特許文献１）。
【００１３】
このような光モジュールは、スリーブホルダとハウジングとを一体的に形成したスリーブケースを具備し、このスリーブケース内に光接続用スリーブを保持する構造を有している。
【００１４】
また、光接続用スリーブの一端部側には光接続用フェルールが保持され、この光接続用スリーブが光接続用フェルールを保持した外周部には把持リングが圧入されている。
【００１５】
このような光モジュールでは、スリーブケース内で光接続用スリーブを介して把持リングによりフェルールの一端部側を把持固定する構造としたので、光接続用フェルールをＬ１の長さだけ短くすることができる。これにより、光接続用フェルールを保持する力を確保しつつ光モジュールの小型化を図ることができる。
【００１６】
しかしながら、このような光モジュールでは、光接続用スリーブ内に光接続用フェルールを挿入した後、その光接続用スリーブの外周部に把持リングが更に圧入されるため、光接続用フェルールに対し、光接続用スリーブだけの力が加わる部分と、光接続用スリーブ及び把持リングの力が加わる部分との境界で応力の歪が生じ、その結果、光接続用フェルールに固着された光ファイバが破断してしまうという問題がある。
【００１７】
そこで、このような問題を解決するものとして、光接続用スリーブの内周面に複数の突条を設けた光モジュールが提案されている（例えば、特許文献２）。
【００１８】
このような光モジュールでは、把持リングを光接続用スリーブに圧入する際の応力が複数の突条からフェルールへ伝わることになる。このため、応力の加わる部分と加わらない部分とがフェルールの円周方向に交互に且つ均一に存在することになり、全体としての応力が軽減される。これにより、フェルールに固着された光ファイバの破断を防止することができる。
【００１９】
【特許文献１】
特開平１０−３３２９８８号公報（第２−３頁、第１図）
【００２０】
【特許文献２】
特開２０００−２４９８７２号公報（第２−３頁、第１図）
【００２１】
【発明が解決しようとする課題】
しかしながら、従来の光モジュールでは、フェルールの全長を短くして全体の小型化を図ることはできるが、光接続用スリーブの一端部側の外周に把持リングを圧入する関係上、その他端部側から挿入されるフェルールを保持する力が両端部で互いに異なっている。このため、光接続の際に、光接続用スリーブ内でフェルール同士を整列させることができないという問題がある。これにより、光接続の際にフェルール同士の軸ズレ等が発生じてしまい、例えば、挿入損失等の光学特性が著しく低下するという問題がある。
【００２２】
なお、光接続用スリーブの内周面に複数の突条を設けた光モジュールでは、フェルールに保持された光ファイバの破断を完全に防止することはできないという問題もある。
【００２３】
本発明は、このような事情に鑑み、比較的容易に小型化でき且つ安定した光学特性を得ることができる光モジュールを提供することを課題とする。
【００２４】
【課題を解決するための手段】
上記課題を解決する本発明の第１の態様は、光ファイバがその長手方向に亘って内部に固着された光接続用フェルールと、光素子とを具備し、前記光接続用フェルールの一端部側の所定位置に前記光素子を位置決めして前記光ファイバと光接続するように配置すると共に、前記光接続用フェルールの他端部に光接続用スリーブを介して光ファイバを固着した光ファイバフェルールを接続して前記光素子と光接続するようにした保持部材を具備する光モジュールにおいて、前記光接続用フェルールの一端部にその他端部より小径となる小径円筒部を設け、前記保持部材に前記小径円筒部を嵌合することにより当該光接続用フェルールを前記保持部材に位置決め保持するようにしたことを特徴とする光モジュールにある。
【００２５】
本発明の第２の態様は、第１の態様において、前記小径円筒部の長さは、前記光接続用スリーブに挿入された前記光接続用フェルールの他端部の長さの半分以下であることを特徴とする光モジュールにある。
【００２６】
本発明の第３の態様は、第１又は２の態様において、前記光接続用フェルールの前記小径円筒部が、前記保持部材に設けられた貫通孔に圧入または接着または溶接されることにより保持されていることを特徴とする光モジュールにある。
【００２７】
本発明の第４の態様は、第１〜３の何れかの態様において、前記光接続用フェルールの前記小径円筒部側のファイバ端面が前記光ファイバの軸に垂直な方向に対して所定角度傾斜した面であり、前記光接続用フェルールの他端部側の端面が凸球面状であることを特徴とする光モジュールにある。
【００２８】
本発明の第５の態様は、第１〜４の何れかの態様において、前記保持部材は、前記光ファイバフェルールを保持した光コネクタプラグが外部から接続可能な光コネクタアダプタ形状を有していることを特徴とする光モジュールにある。
【００２９】
かかる本発明の光モジュールでは、光接続用フェルールの一端部にその他端部より小径となる小径円筒部を設け、保持部材に小径円筒部を嵌合して、光接続用フェルールを保持部材に位置決め保持した構造とすることにより、光接続用フェルールの全長の短尺化を図り、比較的容易に全体を小型化することができる。また、光接続時には、安定した光学特性を得ることができる。
【００３０】
【発明の実施の形態】
以下に、本発明を実施形態に基づいて詳細に説明する。
【００３１】
（実施形態１）
図１は、本発明の実施形態１に係る光モジュールの端面の平面図及びそのＡ−Ａ′断面図であり、図２は、フェルールの端面の平面図及びＢ−Ｂ′断面図である。
【００３２】
図示するように、本実施形態の光モジュール１０は、光ファイバ１１がその長手方向に亘って内部に固着された光接続用フェルール１２と、この光接続用フェルール１２の一端部を保持したハウジング１３と、光接続用フェルール１２の他端部側に光ファイバ１１と光接続するように配置された光素子１４と、光接続用フェルール１２の他端部側を一端側から挿入し且つその他端側から挿入される光ファイバフェルールと光素子１４とを光接続用フェルール１２を介して光接続する光接続用スリーブ１５と、光接続用スリーブ１５を内部に保持するスリーブホルダ１６とを具備する。
【００３３】
ここで、光素子１４としては、例えば、半導体レーザ（ＬＤ），発光ダイオード（ＬＥＤ）等の発光素子や、フォトダイオード（ＰＤ），アバランシェフォトダイオード（ＡＰＤ）等の受光素子等が挙げられ、本実施形態では、半導体レーザを用いた。
【００３４】
また、光接続用フェルール１２の光ファイバ１１と光素子１４との間には、本実施形態では、光素子１４から放射された光を光ファイバ１１の端面に集光する球レンズ等の光学レンズ１７が配設されている。
【００３５】
そして、この光学レンズ１７は、光素子１４を気密封止するキャップ１８に保持されており、このキャップ１８は光素子実装パッド１９に固定されている。なお、このように、キャップ１８によって光素子１４を気密封止することで、外部環境から光素子１４を保護して信頼性を向上している。
【００３６】
また、光素子実装パッド１９には、キャップ１８を覆うように連結部材２０が接合されている。このような連結部材２０は、ハウジング１３に固定されて、光素子実装パッド１９とハウジング１３とを連結している。
【００３７】
なお、このような光素子実装パッド１９の連結部材２０に接合された側とは反対側には、外部機器と接続されるリード端子等の配線２１が突出して設けられている。
【００３８】
そして、本実施形態では、ハウジング１３、光素子実装パッド１９及び連結部材２０により保持部材２２が構成される。この保持部材２２には、光接続用フェルール１２の一端部側の所定位置に光素子１４を位置決めして光ファイバ１１と光接続するように配置すると共に光接続用フェルール１２の他端部側に光接続用スリーブ１５を介して光ファイバを固着した光ファイバフェルールを接続して光素子１４と光接続させるようにした。
【００３９】
このような保持部材２２は、光ファイバ１１の端面と光学レンズ１７との間隔、及び光素子１４と光学レンズ１７との間隔が所定量、すなわち、光素子１４から放射した光が光学レンズ１７を介して光ファイバ１１の端面に効率よく集光する所定位置に光素子１４と光学レンズ１７とを位置決め保持している。
【００４０】
なお、ハウジング１３は、例えば、金属、プラスチック等により形成されており、光接続用フェルール１２の光ファイバ１１と光素子１４との光接続が最適になるように位置調整した状態でＹＡＧ溶接や接着等により連結部材２０に位置決め固定される。
【００４１】
また、このようなハウジング１３に保持された光接続用フェルール１２は、円筒形状を有しており、その軸方向に貫通して光ファイバ１１を挿入保持する光ファイバ挿入孔２３が設けられている。そして、この光ファイバ挿入孔２３内には、光ファイバ１１がその長手方向に亘って内部に固着されている。
【００４２】
さらに、光接続用フェルール１２は、本実施形態では、光接続用スリーブ１５の一端側に挿入される大径円筒部２４と、この大径円筒部２４の外径より小さい外径の小径円筒部２５とからなる。
【００４３】
このような光接続用フェルール１２の小径円筒部２５は、ハウジング１３を貫通して設けられた貫通孔２６内に圧入または接着または溶接等により保持され、この貫通孔２６の開口周縁部に大径円筒部２４の小径円筒部２５側の端面が当接している。なお、実際には、この光接続用スリーブ１５に保持された光接続用フェルール１２の小径円筒部２５は、その先端面と光学レンズ１７との間隔を所定量に調整された状態で保持されている。
【００４４】
また、光接続用フェルール１２の小径円筒部２５は、例えば、研削等により形成してもよく、また、成形により加工してもよい。また、大径円筒部２４と小径円筒部２５との外径差は、約０．２〜０．６ｍｍであることが好ましく、例えば、本実施形態では、大径円筒部２４の外径φ１．２５に対し外径差０．６ｍｍとした。
【００４５】
さらに、光接続用フェルール１２の大径円筒部２４の端面は、凸球面に研磨されている。これにより、詳しくは後述するが、光接続用スリーブ１５内で外部から挿入される光ファイバフェルールとの間で、光ファイバ１１同士を効率よく光接続することができる。
【００４６】
一方、光接続用フェルール１２の小径円筒部２５の端面は、本実施形態では、光ファイバ１１の軸に垂直な方向に対して所定角度傾斜した面に研磨されている。これにより、光ファイバ１１から出射する平行ビームが、その端面で反射する反射量を減少させて、光ファイバ１１の端面を低反射にすることができる。
【００４７】
なお、このような光接続用フェルール１２を形成する材料としては、例えば、ジルコニア等のセラミックス、ガラス、金属、プラスチックなどが挙げられ、本実施形態では、ジルコニアを用いた。
【００４８】
また、ハウジング１３には、光接続用フェルール１２の小径円筒部２５を嵌合した貫通孔２６に連通してホルダ挿入孔２７が設けられており、このホルダ挿入孔２７には、光接続用フェルール１２の他端部、すなわち、大径円筒部２４が突出している。なお、このようなホルダ挿入孔２７は、貫通孔２６の内径より大きい内径を有している。
【００４９】
このようにハウジング１３のホルダ挿入孔２７内に突出した光接続用フェルール１２の大径円筒部２４は、光接続用スリーブ１５の一端側に挿入されている。
【００５０】
光接続用スリーブ１５は、円筒形状を有し、その軸方向に亘って貫通したフェルール挿入孔２８と、側面に軸方向に亘って貫通した一条のスリット２９とを有する。また、フェルール挿入孔２８は、光接続用フェルール１２の外径、すなわち、大径円筒部２４の外径より若干小さな内径で形成されている。
【００５１】
そして、光接続用スリーブ１５内では、フェルール挿入孔２８の一端側に光接続用フェルール１２の大径円筒部２４が挿入されており、その他端側から光コネクタプラグに保持された光ファイバフェルールを挿入してフェルール端面同士を当接させ、光ファイバ１１同士を光接続するようになっている。
【００５２】
このとき、光接続用スリーブ１５は、光接続用フェルール１２及び光ファイバフェルールの挿入により、スリット２９が広がる方向に弾性変形するため、光接続用フェルール１２及び光ファイバフェルールをフェルール挿入孔２８の内周面に密着させることができる。
【００５３】
これにより、光接続用フェルール１２と光ファイバフェルールとをフェルール挿入孔２８の内周面に沿って整列させることができ、光ファイバ１１同士を軸ズレ等なく確実に光接続させることができる。したがって、本実施形態の光モジュール１０によれば、光接続時に挿入損失等の光学特性が低下する虞はない。すなわち、安定した光学特性を得ることができる。
【００５４】
なお、このような光接続用スリーブ１５を形成する材料としては、例えば、ジルコニア、リン青銅、ステンレス及びプラスチック等が挙げられ、本実施形態では、ジルコニアを用いた。
【００５５】
また、光接続用スリーブ１５は、フェルール挿入孔２８内の一端側に光接続用フェルール１２に嵌合した状態でスリーブホルダ１６内に収納されている。
【００５６】
スリーブホルダ１６は、円筒形状を有し、その軸方向に貫通して光接続用スリーブ１５が挿入されるスリーブ挿入孔３０が設けられている。
【００５７】
このスリーブ挿入孔３０の一端側は、光接続用スリーブ１５の外径より若干大きい内径を有する大径部３１となっており、その他端側の開口縁部は、外部から挿入される光ファイバフェルールの外径より大きく且つ光接続用スリーブ１５の外径より小さい内径を有する小径部３２となっている。
【００５８】
なお、本実施形態では、スリーブ挿入孔３０の大径部３１を光接続用スリーブ１５の外径寸法より大きい内径に形成することで、スリーブホルダ１６内に収納された光接続用スリーブ１５に光接続用フェルール１２及び光ファイバフェルールを挿入した際に光接続用スリーブ１５が弾性変形するのに必要な隙間を確保している。
【００５９】
また、このようなスリーブホルダ１６は、光接続用スリーブ１５を内部に保持した状態でハウジング１３の貫通孔２６に連通して設けられたホルダ挿入孔２７に嵌合することにより固定されている。これにより、スリーブホルダ１６の内部、すなわち、ハウジング１３とスリーブ挿入孔３０とで画成された空間内に光接続用スリーブ１５が保持されている。なお、光接続用スリーブ１５に光ファイバフェルールを挿入して引き抜く際に、光接続用スリーブ１５の一端面が、スリーブ挿入孔３０内の大径部３１と小径部３２との内径差により形成された段差部３３に当接して、光接続用スリーブ１５の移動が規制されるようになっている。
【００６０】
また、本実施形態では、このようなスリーブホルダ１６が固定されたハウジング１３等の外周部、すなわち、光モジュール１０の保持部材２２の外周部には、光モジュール１０と光ファイバが固着された光ファイバフェルールを有する光コネクタプラグ（図示なし）とを接続させる光コネクタアダプタ４０を設けるようにした。
【００６１】
光コネクタアダプタ４０は、軸方向に貫通した接続孔４１と、この接続孔４１内で弾性変形する一対の爪部４２とが設けられている。そして、光コネクタアダプタ４０と光モジュール１０とは、圧入又は接着剤等により接合されている。
【００６２】
すなわち、このような光コネクタアダプタ４０の接続孔４１の一端側は、光モジュール１０の外周に固定され、その他端側は光コネクタプラグが着脱可能となっている。そして、光コネクタプラグは、その外周面に光コネクタアダプタ４０内に設けられた弾性変形する一対の爪部４２が係合することで取り付けられる。
【００６３】
ここで、本実施形態では、外部から光コネクタプラグの光ファイバフェルールを光接続用スリーブ１５の他端側から挿入して光接続用フェルール１２と端面同士を当接させると、光接続用フェルール１２にはハウジング１３側に向かって約９．８Ｎの押圧力（荷重）が加わる。このとき、光接続用フェルール１２は大径円筒部２４の端面が貫通孔２６の開口周縁部に当接しているので、光接続用フェルール１２の位置がその軸方向にズレることはない。これにより、光接続時の光学特性が安定する。
【００６４】
また、反対に、光接続用フェルール１２は、大径円筒部２４の端面が貫通孔２６の開口周縁部に当接しているので、光コネクタプラグから押圧力に対する抵抗力は増大している。このため、貫通孔２６で小径円筒部２５を保持する力は小さくて済む。したがって、光コネクタプラグとの光接続時の光学特性を犠牲にすることなく、光接続用フェルール１２の他端部をハウジング１３の貫通孔２６内に圧入する長さを短くすることができ、光接続用フェルール１２の全長を短くすることができる。これにより、光モジュール１０を小型化、すなわち、光ファイバ１１の軸方向に短くすることができる。
【００６５】
例えば、実施例１の光接続用フェルール１２の全長Ｌ、小径円筒部２５の長さＬ１及び大径円筒部２４の長さＬ２と、比較例１の従来技術で説明した光接続用フェルールの全長Ｌ及び各部位の長さＬ１，Ｌ２（図３参照）とをそれぞれ比較すると、下記表１のような結果が得られた。
【００６６】
【表１】
2004126098.tif 000003
【００６７】
上記表１の結果から、実施例１の光接続用フェルール１２のハウジング１３に保持された部分、すなわち、小径円筒部２５の長さＬ１は、大径円筒部２４の長さＬ２の半分以下となり、比較例１の光接続用フェルールと比較すると、小径円筒部２５及び大径円筒部２４のそれぞれの長さＬ１，Ｌ２は、それぞれ０．５〜１．０ｍｍ短くなった。また、実施例１の光接続用フェルール１２の全長Ｌは、フェルール外径φに関わらず、比較例１と比べて１．０〜１．５ｍｍ短くなった。これにより、光モジュール１０の全長を約１０％短尺化できる。
【００６８】
（他の実施形態）
以上、本発明の実施形態１について説明したが、光モジュールの基本的構成は上述したものに限定されるものではない。
【００６９】
例えば、上述した実施形態１では、大径円筒部２４と小径円筒部２５とからなる円筒形状の光接続用フェルール１２を例示したが、これに限定されず、例えば、一端部がその他端部の外形より小さい形状を有する光接続用フェルールであってもよい。勿論、光接続用フェルールの全体の形状や構造等も特に限定されるものではない。
【００７０】
また、上述した実施形態１では、保持部材２２に光素子１４、光学レンズ１７等を所定位置に位置決めして配設したが、これに限定されず、光ファイバと光素子との間に光学レンズを配置せず、そのまま光ファイバと光素子とを光接続するようにしてもよい。なお、上述した実施形態では、光素子として発光素子を例示したが、発光素子の代わりに受光素子を用いてもよい。この場合には、光ファイバから出射した光を受光素子により受光するような光接続となる。
【００７１】
さらに、上述した実施形態１では、光モジュール１０のハウジング１３の外周部に光コネクタアダプタ４０を固定して、外部から光ファイバフェルールを保持した光コネクタプラグを着脱可能とする構造としたが、これに限定されず、光コネクタアダプタ４０を固定せず、スリーブホルダ１６内に保持された光接続用スリーブ１５に外部から光ファイバフェルールを直接挿入するようにしてもよい。
【００７２】
なお、上述した実施形態１では、ハウジング１３に貫通孔２６に連通するホルダ挿入孔２７を設け、このホルダ挿入孔２７内にスリーブホルダ１６を固定するような構造の光モジュール１０を例示したが、これに限定されず、ハウジングにホルダ挿入孔を設けずに、スリーブホルダを貫通孔の開口周縁部に直接固定する構造の光モジュールとしてもよい。
【００７３】
【発明の効果】
以上説明したように、本発明の光モジュールでは、光接続用フェルールの一端部にその他端部より小径となる小径円筒部を設け、保持部材に小径円筒部を嵌合して、光接続用フェルールを保持部材に位置決め保持した構造としたので、光接続用フェルールの全長の短尺化を図り、比較的容易に全体を小型化することができる。また、光接続時には、安定した光学特性を得ることができる。
【図面の簡単な説明】
【図１】本発明の実施形態１に係る光モジュールの端面の平面図及びそのＡ−Ａ′断面図である。
【図２】本発明の実施形態１に係る光接続用フェルールの端面の平面図及びそのＢ−Ｂ′断面図である。
【図３】従来技術に係る光受信モジュールの端面の平面図及びそのＣ−Ｃ′断面図である。
【符号の説明】
１０　光モジュール
１１　光ファイバ
１２　光接続用フェルール
１３　ハウジング
１４　光素子
１５　光接続用スリーブ
１６　スリーブホルダ
１７　光学レンズ
１８　カバーガラス
１９　光素子実装パッド
２０　連結部材
２１　配線
２２　保持部材
２４　大径円筒部
２５　小径円筒部
【図１】
2004126098.tif 000004
【図２】
2004126098.tif 000005
【図３】
2004126098.tif 000006